(57)【要約】【課題】  複数のスタンプ印を用いて、鮮明な複数の色で着色された文字、記号、図形または模様を容易に作製することができるスタンプセットを提供する。【解決手段】  着色された下地を形成する下地スタンプ印と、該下地の上に着色された輪郭を形成する輪郭スタンプ印とからなるスタンプセット。紙等の表面に、うさぎの模様のベタの着色印面を有する下地スタンプ印を押印して着色された下地のうさぎの図形を形成する。着色された下地が乾いた後に、着色された下地の上に、うさぎの模様の輪郭を有する輪郭スタンプ印を重ねて押印して着色された輪郭を形成することにより、２色の着色されたうさぎの模様を形成することができる。【選択図】        図３
0003104369.tif 000002
【実用新案登録請求の範囲】
【請求項１】
着色された下地を形成する下地スタンプ印と、該下地の上に着色された輪郭を形成する輪郭スタンプ印とからなることを特徴とするスタンプセット。
【請求項２】
１個または２個以上の下地スタンプ印と、１個または２個以上の輪郭スタンプ印とからなる請求項１記載のスタンプセット。
【請求項３】
前記下地スタンプ印の着色用印面の大きさが、前記輪郭スタンプ印の輪郭部分の着色用印面の大きさと同じである請求項１乃至３のいずれかの項に記載のスタンプセット。
【請求項４】
前記下地スタンプ印を押印して形成された着色された下地に、前記輪郭スタンプ印を重ねて押印して着色された輪郭を形成する請求項１乃至３のいずれかの項に記載のスタンプセット。
【請求項５】
前記下地スタンプ印で着色された下地の色が薄く、前記輪郭スタンプ印で着色された輪郭の色が濃い請求項１乃至４のいずれかの項に記載のスタンプセット。
【考案の詳細な説明】
【技術分野】
【０００１】
本考案は、複数のスタンプ印の組み合わせからなるスタンプセットに関するものである。
【背景技術】
【０００２】
スタンプ印は、ゴム印面と手で持つ台木とからなり、スタンプ台のインキをゴム印面に付けて捺印することにより着色が行われる。
スタンプ台はスタンプ印の大きさにより、各種の大きさや形状のもがあり、またスタンプ台がカラフルになり、各種の色のスタンプインキを用いたスタンプ台またはインキが市販されている。
【０００３】
従来、スタンプ印を用いて、２色以上の着色された文字、記号、図形または模様を作製することが行なわれている。その一例を以下に示す。
図４は従来のスタンプ印を用いて、２色以上の着色された印形を作製する方法を示す説明図である。同図に示す様に、紙等の表面にスタンプ印を押印して着色された輪郭３１からなるひよこの図形を形成する（図４（ａ）参照）。次に、輪郭３１の中の着色されていない部分３２に、ステンシル用刷毛や筆を用いて、手でインキを付けて着色して着色部分３３を形成し、２色以上の着色されたひよこの図形を形成する方法が行なわれている（図４（ｂ）参照）。
【０００４】
スタンプ印には、例えば特許文献１に記載のスタンプパッドが用いられ、ステンシル用刷毛には、例えば特許文献２に記載のスタンプパッドが用いられている。
【特許文献１】登録実用新案第３００４１７９号公報
【特許文献１】登録実用新案第３０２８５０３号公報
【考案の開示】
【考案が解決しようとする課題】
【０００５】
しかしながら、図４（ｂ）に示す様に、輪郭３１の中の着色されていない部分３２に、ステンシル用刷毛や筆を用いて、手でインキを付けて着色すると、輪郭の部分に色の重なりができたり、また着色部分３３に色の濃淡が生じるために、鮮明な着色された図形を描くことができなかった。
【０００６】
本考案は、この様な従来技術の欠点を改善するためになされたものであり、複数のスタンプ印を用いて、鮮明な複数の色で着色された文字、記号、図形または模様を容易に作製することができるスタンプセットを提供することを目的とするものである。
【課題を解決するための手段】
【０００７】
すなわち、本考案は、着色された下地を形成する下地スタンプ印と、該下地の上に着色された輪郭を形成する輪郭スタンプ印とからなることを特徴とするスタンプセットである。
【０００８】
本考案のスタンプセットは、１個または２個以上の下地スタンプ印と、１個または２個以上の輪郭スタンプ印とからなるのが好ましい。
また、前記下地スタンプ印の着色用印面の大きさが、前記輪郭スタンプ印の輪郭部分の着色用印面の大きさと同じであるのが好ましい。
【０００９】
本考案のスタンプセットは、前記下地スタンプ印を押印して形成された着色された下地に、前記輪郭スタンプ印を重ねて押印して着色された輪郭を形成するのが好ましい。
前記下地スタンプ印で着色された下地の色が薄く、前記輪郭スタンプ印で着色された輪郭の色が濃いのが好ましい。
【考案の効果】
【００１０】
本考案のスタンプセットは、着色された下地を形成する下地スタンプ印と、該下地の上に着色された輪郭を形成する輪郭スタンプ印を用いることにより、鮮明な複数の色で着色された文字、記号、図形または模様を容易に作製することができる。
【考案を実施するための最良の形態】
【００１１】
以下、本考案を詳細に説明する。
本考案のスタンプセットは、着色された下地を形成する下地スタンプ印と、該下地の上に着色された輪郭を形成する輪郭スタンプ印とからなることを特徴とする。
【００１２】
図１は本考案における輪郭スタンプ印を示す概略図であり、図１（ａ）は断面図、図１（ｂ）は底面図である。なお、図１（ａ）は図１（ｂ）のＡＡ線の断面図である。
輪郭スタンプ印１は、文字、記号、図形または模様等（以降、模様等と記す。）の輪郭３が形成されたゴム印面２と、手で持つ台木４とから形成されている。ゴム印面２はゴムからなり、台木４はウレタン樹脂等の弾性材料からなるのが好ましい。
【００１３】
図２は本考案における下地スタンプ印を示す概略図であり、図２（ａ）は断面図、図２（ｂ）は底面図である。なお、図２（ａ）は図２（ｂ）のＢＢ線の断面図である。下地スタンプ印１１は、模様等の着色用印面１５がベタで平面状のゴム印面１２と、手で持つ台木１４とから形成されている。
【００１４】
上記の下地スタンプ印の着色用印面１５の大きさは、輪郭スタンプ印の輪郭３の部分の着色用印面５の大きさと、同じであるのが好ましい。
本考案のスタンプセットにおいて、上記の下地スタンプ印と、輪郭スタンプ印の数は、それぞれ１個でもよく、または２個以上でもよい。例えば、１個の下地スタンプ印を押印して着色された下地の上に、２個の輪郭スタンプ印を押印して色の異なる２個の着色された輪郭を形成するこもできる。
【００１５】
図３は本考案のスタンプセットを用いて、２色以上の着色された模様等を作製する方法を示す説明図である。同図に示す様に、紙等の表面に、うさぎの模様のベタの着色用印面１５を有する下地スタンプ印を押印して着色された下地２１のうさぎの図形を形成する（図３（ａ）参照）。着色された下地が乾いた後に、着色された下地２１の上に、図３（ｂ）に示す様な、うさぎの模様の輪郭３を有する輪郭スタンプ印を重ねて押印して、着色された輪郭２３を形成することにより、２色に着色されたうさぎの模様を作製することができる（図３（ｃ）参照）。着色されたうさぎの模様は、下地の着色は濃淡のムラがなく、下地の着色部分の上に輪郭の着色部分が形成され、下地の着色と輪郭の着色との境界が明確に別れており、鮮明な着色模様からなる。
【００１６】
本考案のスタンプセットで押印される材料は、例えば紙、布、肌、木等が挙げられる。
また、下地スタンプ印で着色された下地の色は薄く、前記輪郭スタンプ印で着色された輪郭の色が濃いのが好ましい。下地の色と輪郭の色は、互に異なる色でもよく、また同じ色でもよい。
【実施例１】
【００１７】
以下、実施例を示し本考案をさらに具体的に説明する。
本考案のスタンプセットを用いて、図３に示す黄色と赤色で着色されたうさぎのスタンプ模様を作製した。紙の表面に、うさぎの模様のベタの黄色の着色用印面を有する下地スタンプ印を押印して黄色の下地のうさぎの図形を形成した。黄色に着色された下地が乾いた後に、下地の上に、うさぎの模様の赤色の輪郭を有する輪郭スタンプ印を重ねて押印して赤色の輪郭を形成し、着色されたうさぎの模様を得た。着色されたうさぎの模様は、下地の黄色には濃淡のムラがなく、下地の黄色の上に輪郭の赤色が形成され、下地の黄色と輪郭の赤色との境界が明確に別れて、鮮明な着色模様が得られた。
【産業上の利用可能性】
【００１８】
本考案のスタンプセットは、着色された下地を形成する下地スタンプ印と、該下地の上に着色された輪郭を形成する輪郭スタンプ印を用いることにより、容易に鮮明な複数の色で着色された模様等を得ることができるので、子供の遊び、趣味、肌の着色、布地へのプリント等に利用することができる。
【図面の簡単な説明】
【００１９】
【図１】本考案のスタンプセットにおける輪郭スタンプ印を示す概略図である。
【図２】本考案のスタンプセットにおける下地スタンプ印を示す概略図である。
【図３】本考案のスタンプセットを用いて、着色された模様等を作製する方法を示す説明図である。
【図４】従来のスタンプ印を用いて、着色された印形を作製する方法を示す説明図である。
【符号の説明】
【００２０】
１  輪郭スタンプ印
２  ゴム印面
３  輪郭
４  台木
５  着色用印面
１１  下地スタンプ印
１２  ゴム印面
１４  台木
１５  着色用印面
２１  着色された下地
２３  着色された輪郭
３１  輪郭
３２  着色されていない部分
３３  着色部分
【図１】
0003104369.tif 000003
【図２】
0003104369.tif 000004
【図３】
0003104369.tif 000005
【図４】
0003104369.tif 000006
【手続補正書】
【提出日】平成16年5月12日(2004.5.12)
【手続補正１】
【補正対象書類名】実用新案登録請求の範囲
【補正対象項目名】全文
【補正方法】変更
【補正の内容】
【実用新案登録請求の範囲】
【請求項１】
着色された下地を形成する下地スタンプ印と、該下地の上に着色された輪郭を形成する輪郭スタンプ印とからなることを特徴とするスタンプセット。
【請求項２】
１個または２個以上の下地スタンプ印と、１個または２個以上の輪郭スタンプ印とからなる請求項１記載のスタンプセット。
【請求項３】
前記下地スタンプ印の着色用印面の大きさが、前記輪郭スタンプ印の輪郭部分の着色用印面の大きさと同じである請求項１または２に記載のスタンプセット。